【手続補正書】
【提出日】平成15年5月6日(2003.5.6)
【手続補正１】
【補正対象書類名】明細書
【補正対象項目名】特許請求の範囲
【補正方法】変更
【補正の内容】
【特許請求の範囲】
【請求項１】
（ａ）  ２つの補助レンズを含み、前記２つの補助レンズの各々は、前面と、後面と、前記レンズの周囲に延びる縁と、前記レンズの各々の上縁および下縁に近接するクリップ孔とを有し、さらに、
（ｂ）  前記補助レンズ間に延びて、前記補助レンズを互いに接続する補助ブリッジと、
（ｃ）  前記孔の各々に位置づけられるクリップとを含み、前記クリップの各々は、前記面の１つに対向して位置づけられる基部と、前記基部から前記孔を通って延びるクリップリベットと、前記基部から前記縁に沿って延びるアームと、前記アームから後方に延びるあご部とを有し、前記あご部は半アーチ形状に構成され、前記あご部は弾性である、眼鏡装置。
【請求項２】
前記クリップは弾性である、請求項１に記載の眼鏡装置。
【請求項３】
前記補助ブリッジは弾性である、請求項１または請求項２に記載の眼鏡装置。
【請求項４】
前記あご部は、面取りされた端部まで延びる、請求項１から請求項３のいずれか１つに記載の眼鏡装置。
【請求項５】
前記あご部は、球状端部まで延びる、請求項１から請求項４のいずれか１つに記載の眼鏡装置。
【請求項６】
前記クリップは、Polyflex（Ｒ）プラスチックまたは形状記憶プラスチックである、請求項１から請求項５のいずれか１つに記載の補助眼鏡装置。
【請求項７】
前記基部は、前記レンズの前記前面に対向して位置づけられ、前記アームは、前記基部から後方に、前記レンズの縁に対向して延びる、請求項１から請求項６のいずれか１つに記載の補助眼鏡装置。
【請求項８】
前記基部は、前記レンズの前記後面に対向して位置づけられ、前記アームは、前記基部から前方に前記レンズの縁に対向して、かつ、前記基部から前記あご部まで後方に、延びる、請求項１から請求項７のいずれか１つに記載の補助眼鏡装置。
【請求項９】
前記補助ブリッジは、Polyflex（Ｒ）プラスチックまたは形状記憶プラスチックである、請求項１から請求項８のいずれか１つに記載の補助眼鏡装置。
【請求項１０】
（ａ）  ２つの補助レンズと、
（ｂ）  各レンズの孔と、
（ｃ）  前記補助レンズ間に延びて、前記補助レンズを互いに接続する補助ブリッジと、
（ｄ）  前記補助レンズを主眼鏡に取付けるための取付部と、
（ｅ）  前記レンズを前記ブリッジに固定するために、前記補助ブリッジから前記孔を通って延びるレンズリベットとを含む、取外し可能な補助眼鏡装置。
【請求項１１】
前記レンズリベットは、前記補助ブリッジから後方に延びる、請求項１０に記載の補助眼鏡装置。
【請求項１２】
前記補助ブリッジは、Polyflex（Ｒ）プラスチックまたは形状記憶プラスチックである、請求項１０から請求項１１のいずれか１つに記載の補助眼鏡装置。
【請求項１３】
前記レンズリベットは、球状端部において終端をなす、請求項１０から請求項１２のいずれか１つに記載の補助眼鏡装置。
【請求項１４】
前記レンズを前記ブリッジに固定するために、各レンズに少なくとも２つの孔と、前記補助ブリッジの各側から前記孔を通って延びる少なくとも２つのレンズリベットとを有する、請求項１０から請求項１３のいずれか１つに記載の補助眼鏡装置。
【請求項１５】
前記取付部は、前記レンズから後方に延びるクリップを含む、請求項１０から請求項１４のいずれか１つに記載の補助眼鏡装置。
【請求項１６】
前記レンズリベットは、キャップにおいて終端をなす、請求項１から請求項１５のいずれか１つに記載の補助眼鏡装置。
【請求項１７】
（ａ）各々がリベット孔を有する２つのレンズと、
（ｂ）ブリッジとを有し、前記ブリッジは、
（ｉ）側方端部と、
（ｉｉ）前記側方端部から水平に延びるレンズリベットとを有し、
前記レンズリベットは、前記レンズに対向して広げられる前記レンズリベットの遠端を有する、眼鏡装置。
【請求項１８】
前記遠端は、リベット孔のすぐ周囲に広げられる、請求項１７に記載の眼鏡装置。
【請求項１９】
前記レンズリベットは、前記ブリッジから後方に延びる、請求項１７または請求項１８に記載の眼鏡装置。
【請求項２０】
前記ブリッジは、補助眼鏡用のブリッジである、請求項１７から請求項１９のいずれか１つに記載の眼鏡装置。
【請求項２１】
前記レンズリベットは、接着剤を用いて固定される、請求項１７から請求項２０のいずれか１つに記載の眼鏡装置。
【請求項２２】
眼鏡のブリッジおよびレンズを組み立てる方法であって、
（ａ）ブリッジの第１の側方端部上の第１のレンズリベットを、第１のレンズの第１の孔に差込むステップと、
（ｂ）前記ブリッジの第２の側方端部上の第２のレンズリベットを、第２のレンズの第２の孔に差込むステップと、
（ｃ）前記レンズリベットの遠端を、前記レンズのそれぞれに対向して変形させるステップとを含む、方法。
【請求項２３】
（ａ）ブリッジの前記第１の側方端部上の第３のレンズリベットを、前記第１のレンズの第３の孔に差込むステップと、
（ｂ）前記ブリッジの前記第２の側方端部上の第４のレンズリベットを、前記第２のレンズの第４の孔に差込むステップと、
（ｃ）前記レンズリベットの遠端を、前記レンズのそれぞれに対向して変形させるステップとをさらに含む、請求項２２に記載の方法。
【請求項２４】
前記ブリッジは、補助眼鏡用のブリッジである、請求項２２から請求項２３のいずれか１つに記載の方法。
【請求項２５】
変形させる前記ステップの前に、前記リベットを接着剤で処理するステップをさらに含む、請求項２２から請求項２４のいずれか１つに記載の方法。
【請求項２６】
（ａ）２つの補助レンズを含み、前記２つの補助レンズの各々は、前面と、後面と、前記レンズの周囲に延びる縁と、前記レンズの各々の上縁および下縁に近接するクリップ孔とを有し、さらに、
（ｂ）前記補助レンズの間に延びて、前記補助レンズを互いに接続する補助ブリッジと、
（ｃ）前記孔の各々に位置づけられるクリップとを含み、前記クリップの各々は、前記面の１つに対向して位置づけられる基部と、前記基部から前記孔を通って延びるクリップリベットと、前記基部から前記縁に沿って延びるアームと、前記アームから後方に延びるあご部とを有し、
前記補助ブリッジは、前記補助レンズの実質的に内側縁において前記補助レンズに接続され、前記内側縁は、前記眼鏡装置に関して中央にある、眼鏡装置。
【請求項２７】
前記あご部は弾性である、請求項２６に記載の眼鏡装置。
【請求項２８】
前記補助ブリッジは弾性である、請求項２６または請求項２７に記載の眼鏡装置。
【請求項２９】
前記あご部は、面取りされた端部まで延びる、請求項２６から請求項２８のいずれか１つに記載の眼鏡装置。
【請求項３０】
前記あご部は、球状端部まで延びる、請求項２６から請求項２９のいずれか１つに記載の眼鏡装置。
【請求項３１】
前記クリップは、Polyflex（Ｒ）プラスチックまたは形状記憶プラスチックである、請求項２６から請求項３０のいずれか１つに記載の眼鏡装置。
【請求項３２】
前記基部は、前記レンズの前記前面に対向して位置づけられ、前記アームは、前記基部から後方に、前記レンズ縁に対向して延びる、請求項２６から請求項３１のいずれか１つに記載の眼鏡装置。
【請求項３３】
前記基部は、前記レンズの前記後面に対向して位置づけられ、前記アームは、前記基部から前方に前記レンズ縁に対向して、かつ、前記基部から前記あご部まで後方に、延びる、請求項２６から請求項３２のいずれか１つに記載の眼鏡装置。
【請求項３４】
前記補助ブリッジは、Polyflex（Ｒ）プラスチックまたは形状記憶プラスチックである、請求項２６から請求項３３のいずれか１つに記載の眼鏡装置。
【請求項３５】
（ａ）２つのレンズと、
（ｂ）各レンズの孔と、
（ｃ）前記レンズ間に延びて、前記レンズを互いに接続するブリッジと、
（ｄ）前記レンズを前記ブリッジに固定するために、前記ブリッジから後方に、前記孔を通って延びるレンズリベットとを含む、眼鏡装置。
【請求項３６】
前記ブリッジは、Polyflex（Ｒ）プラスチックまたは形状記憶プラスチックである、請求項３５に記載の眼鏡装置。
【請求項３７】
前記レンズリベットは、球状端部において終端をなす、請求項３５から請求項３６のいずれか１つに記載の眼鏡装置。
【請求項３８】
前記レンズを前記ブリッジに固定するために、各レンズに少なくとも２つの孔と、前記ブリッジの各側から前記孔を通って延びる少なくとも二つのレンズリベットとを有する、請求項３５から請求項３７のいずれか１つに記載の眼鏡装置。
【請求項３９】
前記レンズリベットは、キャップにおいて終端をなす、請求項３５から請求項３８のいずれか１つに記載の眼鏡装置。
【請求項４０】
前記レンズリベットは、接着剤を用いて固定される、請求項３５から請求項３９のいずれか１つに記載の眼鏡装置。